(57)【特許請求の範囲】
【請求項１】
通帳を蓄積する通帳蓄積手段と、
通帳情報を入力する入力手段と、
前記入力手段により入力された通帳情報をホストへ送信する送信手段と、
前記送信手段に送信の後、ホストから送られてくる記帳情報を前記通帳蓄積手段に記憶されている明細記入頁に明細を印字する明細印字手段と、
前記明細印字手段による印字の後、前記入力手段で入力された通帳情報を基に前記通帳の表紙へ印字を行う表紙印字手段と
を備え、
前記通帳蓄積手段はそれぞれ複数の通帳を蓄積し、
通帳種別と前記通帳蓄積手段に蓄積されている通帳との対応関係を記憶した通帳種別テーブルと、
前記通帳種別テーブルを参照し、所定の前記通帳蓄積手段から通帳を選択する選択手段と
を有し、
前記明細印字手段及び前記表紙印字手段は、前記選択手段が選択した通帳に対し、印字を行い、
更に、
前記各通帳蓄積手段に蓄積されている通帳の残数に関する情報を記憶する記憶手段と、
操作者よりの補充を示す入力に伴い、前記記憶手段に記憶されている残数に関する情報を基に前記各通帳蓄積手段に蓄積されている通帳の補充数を出力する出力手段と、
操作者が補充完了を示す入力を行うと、前記出力手段で出力した前記補充数を基に前記記憶手段の記憶内容を更新する
ことを特徴とする自動通帳繰越装置。
【請求項２】
前記出力手段は、前記補充数を出力する際、対応する通帳に関する絵柄情報も出力することを特徴とする請求項１に記載の自動通帳繰越装置。
【発明の詳細な説明】
【０００１】
【発明の属する技術分野】
本発明は、通帳の繰越処理を自動的に行う自動通帳繰越装置に関するものである。
【０００２】
近年、省人化のため金融機関が使用する自動機の管理、運用を銀行以外の機関に外部委託したり、パートに委任したりする傾向があり、熟練者以外も自動機の障害発生時の復旧処理を容易かつ簡潔に実施できる仕組みが要求されている。
【０００３】
【従来の技術】
従来、金融機関が新しい通帳を発行する場合、メカ動作の簡略化のために物理的な順番で印字し、図９に示すように、▲１▼表紙、▲２▼表紙見返し、▲３▼各科目の明細の順番で印字していた。以下図９を簡単に説明する。
【０００４】
図９は、従来技術の説明図を示す。
図９の（ａ）は、通帳を示す。通帳は、図示のように、表紙、表紙裏面（表紙見返し）、明細用紙が図示の順番で並んで、綴じたものである。
【０００５】
図９の（ｂ）は、図９の（ａ）の通帳の各頁を開いた様子を示す。表紙、表紙見返し、科目１の明細１頁、科目１の明細２頁、・・・科目２の明細１頁、科目２の明細２頁・・・という順番に並んでいる。
【０００６】
図９の（ｃ）は、通帳に印刷するときの順番▲１▼ないし▲４▼を示す。
▲１▼は、表紙を印字する。
▲２▼は、表紙見返しを印字する。
【０００７】
▲３▼は、科目１明細を印字する。
▲４▼は、科目２明細を印字する。
また、新通帳を発行する際には、カセットから新通帳を取り出して印字部にセットして印字を行っている。この際、通帳の補充は、係員がカセットに新たな通帳を補充してセットし、そのセットした冊数やセットした通帳種別などを操作パネル上から入力して更新していた。
【０００８】
【発明が解決しようとする課題】
従来は上述したように新しい通帳を印字する場合、図９の（ｃ）の▲１▼、▲２▼、▲３▼、▲４▼の物理的な順番で、表紙、表紙見返し、各科目の明細というように印字していたため、各科目の明細印字の途中でジャムあるいは停電などにより中断した場合、通帳繰越機の運用者が当該通帳繰越機に残留した通帳を取りだし、その通帳が作成完了しているかどうかを判断し、その処置を行うが、以下の理由によりその判断が困難な情況が生じてしまう問題があった。
【０００９】
（１）  通帳の表紙を最初に印字してしまうため、一見して完了しているように見え、勘違いして通帳の繰越のための印字が途中で中断しているのに係わらず完了していると判断してしまう問題があった。
【００１０】
（２）  通帳の科目の明細印字がされている場合、この印字で完了しているか否かが判明せず、別端末にてホストの元帳を検索して確認する手間が必要となってしまう問題があった。
【００１１】
また、通帳を補充する場合、上述したように、係員が通帳を運搬してカセットに補充し、補充した通帳の種別や冊数やいずれのカセットに補充したかを操作パネルから入力して更新していたため、補充の操作と、更新操作とが独立別個に行われ、時として誤操作が発生してカセットに装填されている通帳の種別、冊数と、システムに設定されているカセット毎の通帳の種別、冊数との間に不整合が生じてしまうという問題があった。不整合が発生すると、冊数の管理や通帳の印字制御が正常に動作できないという事態が発生するという問題があった。
【００１２】
本発明は、新しい通帳を印字するときに従来の印字順番を逆転させ、明細、表紙見返し、表紙の順に印字し、印字途中で障害発生しても通帳の印字状態を見ただけで印字処理が完了しているか否かを容易に判断可能にすることを目的としている。
【００１３】
また、本発明は、通帳をカセットに補充する際に、入力された補充情報を指示書として印字し、これに従って通帳をカセットに補充し、補充後に確認オペレーションを行って実際のシステムに反映し、誤補充や誤操作による通帳の不整合が発生する事態を最小化することを目的としている。
【００１４】
【課題を解決するための手段】
図１を参照して課題を解決するための手段を説明する。
図１において、通帳情報テーブル２は、通帳種別に対応づけて通帳に印字する科目の頁情報および印字方向を設定するものである。
【００１５】
通帳発行手段３は、通帳の発行時に通帳情報テーブル２を参照して通帳の科目の頁情報および印字方向をもとに通帳に印字を行い、最後に通帳の表紙の印字を行うものである。
【００１６】
カセット情報テーブル４は、カセットに対応づけて通帳の種別および冊数を設定するものである。
通帳補充手段５は、通帳のカセットへの補充時にカセット情報テーブル４を参照してカセット毎の通帳種別および冊数を表示したり、カセットに補充する冊数の指示をもとに補充しようとするカセット、通帳種別、冊数を指示書に出力したり、確認キーの押下に対応して記憶した内容でカセット情報テーブル４を更新したりするものである。
【００１７】
カセット６は、通帳を種別毎に格納するものである。
次に、動作を説明する。
通帳発行手段３が、通帳の繰越時あるいは通帳の新発行時に通帳情報テーブル２を参照して通帳の科目の頁情報および印字方向をもとに通帳に印字を行い、最後に通帳の表紙の印字を行ようにしている。
【００１８】
この際、通帳発行手段３は、科目が複数あった場合、通帳情報テーブル２を参照して通帳の科目の頁情報および印字方向をもとに通帳に印字を全ての科目について繰り返し行い、最後に通帳の表紙の印字を行うようにしている。
【００１９】
また、通帳補充手段５が通帳の補充時にカセット情報テーブル４を参照してカセット毎の通帳種別および冊数を表示し、カセットに補充する冊数の指示をもとに補充しようとするカセット、通帳種別、冊数を指示書に出力および記憶し、指示書に従い通帳の補充した旨の確認キーの押下に対応して記憶した内容でカセット情報テーブル４を更新するようにしている。
【００２０】
この際、カセットに通帳を表象する絵柄を貼り付け、補充するカセットを明確にしている。
従って、新しい通帳を印字するときに従来の印字順番を逆転させ、明細、表紙見返し、最後に表紙の順に印字することにより、新通帳の印字途中で障害発生しても通帳の印字状態を見ただけで印字処理が完了しているか否かを容易に判断することが可能となる。
【００２１】
また、通帳をカセットに補充する際に、入力された補充情報を指示書として印字し、これに従って通帳をカセットに補充を行い、補充後に確認オペレーションを行って実際のシステムに反映することにより、誤補充や誤操作による通帳の不整合が発生する事態を最小化することが可能となる。
【００２２】
【発明の実施の形態】
次に、図１から図８を用いて本発明の実施の形態および動作を順次詳細に説明する。
【００２３】
図１は、本発明のシテム構成図を示す。
図１において、通帳繰越機１は、通帳の繰り越し時あるいは新通帳の発行時に、新しい通帳に印字して発行するものであって、ここでは、通帳情報テーブル２、通帳発行手段３、カセット情報テーブル４、通帳補充手段５、カセット６、およびプリンタ７などから構成されるものである。
【００２４】
通帳情報テーブル２は、通帳種別に対応づけて通帳に印字する科目毎の頁情報および印字方向を設定するものであって、例えば後述する図４に示すように、
・科目        ：普通
・印字開始頁  ：２枚目
・印字可能頁数：７枚
・印字方向    ：表（表から裏に向かって印字）
と設定したものである。
【００２５】
通帳発行手段３は、通帳の発行時に通帳情報テーブル２を参照して通帳の科目の頁情報および印字方向をもとに通帳に印字を行うことを全科目について繰り返し、更に裏、裏表紙があるときはこれらも印字、更に表の裏表紙を印字し、最後に通帳の表紙の印字を行うものである。
【００２６】
カセット情報テーブル４は、カセット毎に装填する通帳情報を設定するものであって、例えば後述する図７に示すように、
・カセット番号：１
・通帳種別    ：総合
・通帳冊数    ：××
・絵柄        ：○
を設定するものである。
【００２７】
通帳補充手段５は、通帳をカセットに間違いなく補充するものであって、後述する図５の手順に従い補充するものである。
カセット６は、通帳を種別毎に保存するカセットである。
【００２８】
プリンタ７は、通帳に印字するプリンタである。
表示装置／タッチパネル８は、各種ガイダンス、操作指示を表示したり、各種指示を入力したりするものである。
【００２９】
次に、図２のフローチャートに示す順序に従い、図１の構成のもとで新通帳を発行するときの手順を詳細に説明する。
図２は、本発明の動作説明フローチャートを示す。
【００３０】
図２において、Ｓ１は、メニュー画面を表示する。
Ｓ２は、繰越を選択する。
Ｓ３は、現通帳を挿入する。
【００３１】
Ｓ４は、通帳選択画面を表示する。これは、例えば総合通帳、定期専用通帳などを表示した選択画面を表示する。
Ｓ５は、通帳を選択する。これは、Ｓ４の選択画面上で通帳を選択する。この際、選択された通帳の種類を記憶する。そして、ホストに記帳要求を行い、ホストから記帳データを受信し、次のＳ６に進む。
【００３２】
Ｓ６は、現通帳に記帳する。
Ｓ７は、終了する。この際、現通帳の科目の記入欄が満杯になり、記入しきれなかった場合あるいは新たな通帳の発行を要求した場合には、次のＳ８に進む。
【００３３】
Ｓ８は、新通帳を繰り出し、カセットから印字部へ閉じ状態でセットする。
Ｓ９は、記憶した通帳の種類に対応する属性（通帳情報テーブル）を元に、改頁し、次科目の先頭頁にセットする。これは、Ｓ５で記憶した通帳の種別に対応する図４の通帳情報テーブル３を元に、改頁し、次科目の先頭頁にセットする。例えば図４の通帳情報テーブル３の種別が総合口座の通帳は、第１の科目
・印字開始頁  ：２枚目
・印字可能頁数：７枚
・印字方向    ：表
であるので、通帳の表から数えて２枚目の先頭頁にセットする。そして、ホストに記帳要求を行い、ホストから記帳データ（１頁分）、残データ有無情報を受信し、次のＳ１０に進む。
【００３４】
Ｓ１０は、記帳する。これは、Ｓ９でセットした先頭頁から、ホストより受信した記帳データ（１頁分）を印字する。
Ｓ１１は、残りデータが有か判別する。これは、ホストから残りデータが有を受信していたか判別する。ＹＥＳの場合には、Ｓ１２で印字方向をもとに改頁し（印字方向が表のときは表から裏に向かう方向に改頁し、一方、印字方向が裏のときは裏から表に向かう方向に改頁し）、現頁を記憶した後、ホストに記帳要求し、ホストから記帳データ（１頁分）および残データ有無情報を受信した後、Ｓ１０で記帳を行うことを繰り返す。一方、Ｓ１１のＮＯの場合には、残りデータがなく、記帳が完了したと判明したので、Ｓ１３に進む。
【００３５】
Ｓ１３は、次科目があるか判別する。ＹＥＳの場合には、次の科目があると判明したので、Ｓ１４で科目が同一方向か判別（次の科目の印字方向が同じか判別）し、ＹＥＳのときにＳ９に戻り繰り返し、一方、ＮＯのときは印字方向が逆と判明したのでＳ１５で通帳を閉じて反転しＳ９に戻り繰り返す。一方、Ｓ１３のＮＯの場合には、次の科目がなく科目の記帳が終了したと判明したので、Ｓ１６に進む。
【００３６】
Ｓ１６は、現在裏か判別する。ＹＥＳの場合には、閉じて１枚めくり、裏表紙を開き、裏表紙／見返しのデータの要求をホストに行い、ホストから裏表紙／見返しデータを受信し、Ｓ２０に進む。一方、Ｓ１６のＮＯの場合には、現在が裏でなく、表と判明したので、Ｓ１７で閉じてＳ１８に進む。
【００３７】
Ｓ２０は、裏表紙データを記帳し裏見返し印字する。
Ｓ２１は、閉じる。
Ｓ２２は、記憶した裏表紙データを裏表紙に印字する。
【００３８】
Ｓ２３は、反転して表にしＳ１８で１枚めくって表見返しにし、Ｓ１８に進む。
Ｓ１８は、１枚めくる。これは、通帳を閉じて表紙が上の状態にあるので、１枚めくり表見返しにする。そして、ホストに表示／見返しデータの要求を行い、ホストから表紙／見返しデータを受信し、Ｓ２４に進む。
【００３９】
Ｓ２４は、表紙データを記憶し見返しデータを印字する。
Ｓ２５は、閉じる。これにより、表紙が印字可能状態となる。
Ｓ２６は、記憶した表紙データを表紙に印字する。
【００４０】
Ｓ２７は、新通帳および現通帳（使用済）を排出する。
以上によって、現通帳に記帳して科目の印字欄が一杯になったとき、あるいは新通帳を発行するときに、該当する種別の通帳をセットし、後述する図４の通帳情報テーブル２をもとに科目毎に先頭頁に位置づけて記帳を行い、科目の明細の記帳が終了した後、裏の見返し、裏、更に表の見返し、そして、最後に表を印字することにより、新通帳の発行時に何らかの原因によって途中で印字が中断しても、排出された通帳を見て表が印字されていなければ途中で中断したと一目瞭然に判断でき、未記帳の通帳を発行してしまう事態を無くすことが可能となる。
【００４１】
図３は、本発明の通帳の頁情報／印字方向の説明図を示す。
図３において、印字方向は、表から裏に向かって印字する方向を印字方向“表”とし、裏から表に向かって印字する方向を印字方向“裏”とする。
【００４２】
また、頁情報が、図４の通帳が“総合口座”であって、科目が“普通”の場合には、図示の下記のようになっている。
・印字開始頁  ：２枚目
・印字可能頁数：７枚
・印字方向    ：表
この頁情報の場合には、図３の上段に示したように、印字開始頁が“２頁”となり、印字可能頁数が“７枚”であるため、印字終了頁が“２頁＋（７−１）頁＝８頁”となる。以下他の場合も同様である。また、印字方向が“裏”の場合には、裏表紙から頁数を計算し、同様である。
【００４３】
図４は、本発明の通帳情報テーブル例を示す。この通帳情報テーブル２の例は、図示のように、通帳種別“総合通帳”、“定期専用”などに対応して、科目“普通”、“積立”、“定期”、“貯蓄”というようになっている。各科目、例えば“普通”の場合には、図示の下記のように設定されている。
【００４４】
・科目        ：普通
・印字開始頁  ：２枚目
・印字可能頁数：７枚
・印字方向    ：表（表から裏に向かって印字）
これは、既述した図３の上段の“普通”に対応し、印字方向から表から裏に向い、先頭開始頁が“２頁”であり、印刷可能頁数が“７頁”（最終印字頁が２＋（７−１）＝８頁）となることを表す。
【００４５】
次に、図５のフローチャートに示す順序に従い、図１の構成のもとで通帳をカセットに補充する場合の動作を順次詳細に説明する。
図５は、本発明の他の動作説明フローチャートを示す。
【００４６】
図５において、Ｓ３１は、係員処理画面を表示する。
Ｓ３２は、補充／回収の選択を行う。ここでは、Ｓ３１で表示された係員処理画面上に表示された補充を選択する。
【００４７】
Ｓ３３は、カセット番号の選択画面を表示する。
Ｓ３４は、カセット選択する。ここで、補充しようとする通帳の絵柄と同じ絵柄のカセットを選択する。これは、カセット毎に格納されている通帳の種別が表示されているが、通帳には同じ種別（例えば総合通帳）であっても、各種キャラクタ（例えば“さざえさん”など）からなる絵柄を印刷した通帳があるので、その絵柄を含めて通帳を選択する。
【００４８】
Ｓ３５は、補充する冊数を入力すると共に記憶する。
Ｓ３６は、終わりか判別する。ＹＥＳの場合には、補充するカセットと冊数の選択／入力が終了したので、Ｓ３７に進む。一方、ＮＯの場合には、Ｓ３４に戻り次のカセットについて繰り返す。
【００４９】
Ｓ３７は、指示書を印刷する。これは、後述する例えば図６の▲２▼の指示書に示す下記の情報を印刷する。
カセット番号    通帳種別    補充冊数    合計冊数
カセット１      Ａ通帳      ２０冊補充  計３０冊
カセット２      Ｂ通帳      １５冊補充  計３０冊
カセット３      Ｃ通帳      ３０冊補充  計３０冊
Ｓ３８は、指示書を見て通帳の補充を行う。この際、通帳とカセット番号（あるいは絵柄）を見て補充する。
【００５０】
Ｓ３９は、確認キーを押下する。
Ｓ４０は、現在値に記憶値を加算した値を現在値にセットする。これは、補充したカセット毎の通帳の冊数について、カセット情報テーブル４を更新する。
【００５１】
以上によって、通帳をカセットに補充する際に、補充するカセット、通帳、冊数を選択／入力し、これら選択／入力した内容を指示書として印刷し、この印刷した指示書の通帳の絵柄などを見て該当するカセットに通帳を補充した後、確認キーを押下して記憶しておいた内容でカセット情報テーブル４を更新して反映することにより、誤補充や誤操作による通帳の不整合が発生する事態を最小化することが可能となる。
【００５２】
図６は、本発明の通帳補充手順の説明図を示す。
図６において、▲１▼は、通帳補充冊数の設定オペレーションを示す。これは、既述した図５のＳ３４、Ｓ３５の操作によって、画面上で図示の下記のように補充する通帳、冊数を設定する。
【００５３】
カセット１：Ａ通帳を２０冊補充
カセット２：Ｂ通帳を１５冊補充
カセット３：Ｃ通帳を３０冊補充
▲２▼は、設定内容のプリントアウトを行い、図示の下記の指示書を印字する。
【００５４】
カセット１      Ａ通帳      ２０冊補充  計３０冊
カセット２      Ｂ通帳      １５冊補充  計３０冊
カセット３      Ｃ通帳      ３０冊補充  計３０冊
▲３▼は、補充する。これは、図示のように、指示書を見て操作員がＡ通帳をカセット１にここでは、２０冊補充する。
【００５５】
▲４▼は、確認オペレーションを行う。これは、画面上に図示の下記のようなメッセージが表示されているので、「確認」のボタンを押下する。
「確認」
補充が終了しましたら確認キーを押下してください
▲５▼は、更新する。これは、▲１▼で設定した図示の内容を、カセット情報テーブル４に反映して更新する。これにより、▲３▼で補充したカセット毎の通帳の冊数と、カセット情報テーブル４中のカセット毎の通帳の冊数とが一致することとなる。
【００５６】
図７は、本発明のカセット情報テーブル例を示す。カセット情報テーブル４には、図示の下記のように設定する。
カセット番号    通帳の種別    冊数    絵柄
カセット１      総合口座      １０    ○
カセット２      総合口座      １５    △
カセット３      定期専用      ００    □
図８は、本発明の通帳カセットの配置例を示す。ここでは、図示のようにカセット１ないしカセット１２までの１２個のカセットが装着されている。各カセットには、カセット番号の他に、当該カセットに装着する通帳の絵柄を貼り付けるあるいは液晶上に表示する。これにより、操作員が左側から運搬してきた通帳について、当該通帳の絵柄と、一致する絵柄のカセットに補充し、同じ通帳であっても絵柄のみが異なる場合に容易に補充することが可能となる。
【００５７】
【発明の効果】
以上説明したように、本発明によれば、新しい通帳を印字するときに従来の印字順番を逆転させ、明細、表紙見返し、最後に表紙の順に印字する構成を採用しているため、新通帳の印字途中で障害発生しても通帳の印字状態を見ただけで印字処理が完了しているか否かを容易に判断できる。
【００５８】
また、通帳をカセットに補充する際に、入力された補充情報を指示書として印字し、これに従って通帳をカセットに補充を行い、補充後に確認オペレーションを行って実際のシステムに反映する構成を採用しているため、誤補充や誤操作による通帳の不整合が発生する事態を最小化することができる。
【図面の簡単な説明】
【図１】本発明のシステム構成図である。
【図２】本発明の動作説明フローチャートである。
【図３】本発明の通帳の頁情報／印字方向の説明図である。
【図４】本発明の通帳情報テーブル例である。
【図５】本発明の他の動作説明フローチャートである。
【図６】本発明の通帳補充手順の説明図である。
【図７】本発明のカセット情報テーブル例である。
【図８】本発明のカセットの配置例である。
【図９】従来技術の説明図である。
【符号の説明】
１：通帳繰越機
２：通帳情報テーブル
３：通帳発行手段
４：カセット情報テーブル
５：通帳補充手段
６：カセット
７：プリンタ
８：表示装置／タッチパネル
【図１】
0003913835.tif 000002
【図２】
0003913835.tif 000003
【図３】
0003913835.tif 000004
【図４】
0003913835.tif 000005
【図５】
0003913835.tif 000006
【図６】
0003913835.tif 000007
【図７】
0003913835.tif 000008
【図８】
0003913835.tif 000009
【図９】
0003913835.tif 000010